(57)【要約】【課題】レンズカバーの開閉動作を省スペースで行え、開閉動作に対してダイナミックさや高級感等の感性的な面を向上させたレンズカバー装置、およびレンズカバー装置を備えたプロジェクターを提供する。【解決手段】レンズカバー装置５は、レンズ３０の前面に対し、３分割されて閉塞するレンズカバー５２を備え、レンズ３０の前面を開放する場合、３分割されたレンズカバー５２は、レンズ３０を収容する前側筒３４の側方周囲にそれぞれ移動する。また、レンズ３０の前面を開放する場合、レンズカバー５２は、レンズ３０の前方に起立しながら前側筒３４の側方周囲にそれぞれ移動していく。【選択図】図３
2013186231.tif 000002
【特許請求の範囲】
【請求項１】
投写または撮影する際に使用するレンズの前面を閉塞および開放させるレンズカバー装置であって、
前記レンズの前記前面に対し、Ｎ分割（Ｎ≧２、Ｎは自然数）されて閉塞するレンズカバーを備え、
前記レンズの前記前面を開放する場合、前記Ｎ分割された前記レンズカバーは、前記レンズを収容するレンズ鏡筒の側方周囲にそれぞれ移動することを特徴とするレンズカバー装置。
【請求項２】
請求項１に記載のレンズカバー装置であって、
前記レンズの前記前面を開放する場合、前記レンズカバーは、前記レンズの前方に起立しながら前記レンズ鏡筒の前記側方周囲にそれぞれ移動していくことを特徴とするレンズカバー装置。
【請求項３】
請求項１または請求項２に記載のレンズカバー装置であって、
前記レンズの前記前面を閉塞した場合、前記レンズカバーは、前記レンズの中央部に相対する部分が突出する曲面を有して構成され、
前記レンズの前記前面を開閉する場合、前記レンズカバーは、前記曲面が前記レンズの外径形状に沿うように移動することを特徴とするレンズカバー装置。
【請求項４】
請求項３に記載のレンズカバー装置であって、
前記レンズカバーを光軸直交方向に回動可能に支持する第１支軸と、
前記第１支軸を支点として、前記レンズカバーを前記光軸方向に沿うようにスライド可能に支持する第２支軸と、を備え、
前記レンズの前記前面を開放する場合、前記レンズカバーは、前方に起立しながら前記レンズの前記中央部から外径方向に移動することを特徴とするレンズカバー装置。
【請求項５】
請求項１または請求項２に記載のレンズカバー装置であって、
前記レンズカバーを挿通する孔部を有し、前記レンズ鏡筒の外周側に設置される筒状部材を備え、
前記レンズの前記前面を開放する場合、前記レンズカバーは、前記孔部の第１の側面に当接することにより前記レンズの前記前方に起立することを特徴とするレンズカバー装置。
【請求項６】
請求項５に記載のレンズカバー装置であって、
前記レンズカバーは、それぞれ、前記レンズカバーのベースとなる第１カバーと、前記第１カバーに対して支軸を中心に回動可能となる第２カバーと、を備え、
前記第２カバーは、前記孔部の第２の側面に当接することにより、前記支軸を中心に回動して前記第１カバーに重なることを特徴とするレンズカバー装置。
【請求項７】
請求項５または請求項６に記載のレンズカバー装置であって、
前記レンズカバーを回動可能に支持する支持部材を有すると共に、前記レンズ鏡筒の外周側に設置されて前記レンズカバーを保持する保持部と、
前記保持部を前記レンズの光軸方向にスライド可能とするリンク機構と、
を備えていることを特徴とするレンズカバー装置。
【請求項８】
請求項１または請求項２に記載のレンズカバー装置であって、
前記レンズの前記前面を開放する場合、前記レンズカバーは、前記レンズ鏡筒の外径端部に当接することにより前記レンズの前記前方に起立することを特徴とするレンズカバー装置。
【請求項９】
請求項８に記載のレンズカバー装置であって、
前記レンズカバーを回動可能に支持する支持部材を有すると共に、前記レンズ鏡筒の外周側に設置されて前記レンズカバーを保持する筒状の第１保持部と、
前記第１保持部の内周側または外周側に設置されて前記第１保持部を保持する筒状の第２保持部と、を備え、
前記第１保持部と前記第２保持部とは、互いに螺合するねじ部を有し、前記第１保持部は、前記第２保持部に対して回動することにより、前記レンズカバーを前記レンズ鏡筒の前記側方周囲に移動させることを特徴とするレンズカバー装置。
【請求項１０】
請求項１〜請求項９のいずれか一項に記載のレンズカバー装置であって、
前記Ｎ分割された前記レンズカバー同士の隣り合う外形端は、平面視、曲線状に構成されていることを特徴とするレンズカバー装置。
【請求項１１】
請求項１〜請求項９に記載のレンズカバー装置であって、
前記Ｎ分割された前記レンズカバー同士の隣り合う外形端は、平面視、曲線で構成され、平面上で二次元的に前記レンズカバーが開いた場合、前記曲線が前記レンズ鏡筒の外径端部に沿うように構成されていることを特徴とするレンズカバー装置。
【請求項１２】
請求項１〜請求項１１のいずれか一項に記載のレンズカバー装置であって、
前記レンズカバーは、前記レンズの前記中央部を中心として放射状に前記Ｎ分割されていることを特徴とするレンズカバー装置。
【請求項１３】
請求項１〜請求項１２のいずれか一項に記載のレンズカバー装置であって、
前記レンズカバーは、３分割されていることを特徴とするレンズカバー装置。
【請求項１４】
請求項１〜請求項１３のいずれか一項に記載のレンズカバー装置であって、
前記Ｎ分割された前記レンズカバーは、それぞれ隣の前記レンズカバーを受けて支持する受部を備えていることを特徴とするレンズカバー装置。
【請求項１５】
光束を射出する光源装置と、
前記光源装置により射出された前記光束を画像信号に応じて変調する光変調装置と、
変調されて形成された画像光を投写する投写レンズと、
請求項１〜請求項１４のいずれか一項に記載のレンズカバー装置と、
を備えることを特徴とするプロジェクター。
【発明の詳細な説明】
【技術分野】
【０００１】
本発明は、レンズカバー装置、およびレンズカバー装置を備えるプロジェクターに関する。
【背景技術】
【０００２】
従来、光源装置から射出された光束を画像信号に応じて光変調装置で変調し、投写レンズを介してスクリーン等に画像光として投写するプロジェクターが知られている。また、プロジェクターは、投写レンズの保護（塵埃の付着防止や傷付き防止等）を目的に、投写レンズの先端部にレンズカバーを装着している。レンズカバーは、取り外し可能なキャップ式のものや、プロジェクターの外装筺体に備えるスライド可能なシャッター（レンズカバー）をスライドすることにより、投写レンズを開閉させるもの（例えば、特許文献１）等がある。
【０００３】
特許文献２に開示されるレンズカバーは、カメラの撮影レンズの保護に用いるものである。このカメラは、レンズカバーを開閉動作させるレンズカバー開閉機構を備え、開閉機構は主軸部が鏡筒の光軸と平行な平面内で回動可能な如く一端を取付け枠の一部に軸支され、先端でレンズカバーの略中心部位を回動自在に枢支するリンクと、回動するレンズカバーを取付け枠の周面に沿って光軸と平行な方向へカバー回動基端部をカメラ本体に近い側にしてスライドさせるスライド移動手段とを備えている。
【０００４】
特許文献３に開示されるレンズカバーも、カメラの撮影レンズの保護に用いるものである。このカメラは、ズームリングの回動を移動検出スイッチが検出して電源オン状態となると共に、レンズを支持する移動筒が繰出して押圧することによりレンズカバーが開放位置となり、撮影可能な状態となる。
【先行技術文献】
【特許文献】
【０００５】
【特許文献１】特開２００１−２４２５４２号公報
【特許文献２】特開２００３−４３５５５号公報
【特許文献３】特開２００８−２５７１２９号公報
【発明の概要】
【発明が解決しようとする課題】
【０００６】
特許文献１に開示されるレンズカバーは、投写レンズを開閉する動作を行う場合、光軸に対して垂直方向に広いスペースが必要になるという課題がある。また、特許文献１〜３に開示されるレンズカバーは、投写レンズや撮影レンズの保護を目的に構成されている。そのため、レンズカバーが開閉動作を行う場合、開閉動作の使用者に与える感性的な面（例えば、ダイナミックさや高級感等）に対してあまり配慮されていないという課題がある。
従って、レンズカバーの開閉動作を省スペースで行え、開閉動作に対してダイナミックさや高級感等の感性的な面を向上させたレンズカバー装置、およびレンズカバー装置を備えたプロジェクターが要望されていた。
【課題を解決するための手段】
【０００７】
本発明は、上述した課題の少なくとも一部を解決するためになされたものであり、以下の形態または適用例として実現することが可能である。
【０００８】
［適用例１］本適用例に係るレンズカバー装置は、投写または撮影する際に使用するレンズの前面を閉塞および開放させるレンズカバー装置であって、レンズの前面に対し、Ｎ分割（Ｎ≧２、Ｎは自然数）されて閉塞するレンズカバーを備え、レンズの前面を開放する場合、Ｎ分割されたレンズカバーは、レンズを収容するレンズ鏡筒の側方周囲にそれぞれ移動することを特徴とする。
【０００９】
このようなレンズカバー装置によれば、レンズの前面を開放する場合、Ｎ分割されたレンズカバーは、レンズを収容するレンズ鏡筒の側方周囲にそれぞれ移動することにより、開閉動作を省スペースで行うことができる。
【００１０】
［適用例２］上記適用例に係るレンズカバー装置において、レンズの前面を開放する場合、レンズカバーは、レンズの前方に起立しながらレンズ鏡筒の側方周囲にそれぞれ移動していくことが好ましい。
【００１１】
このようなレンズカバー装置によれば、レンズの前面を開放する場合、レンズカバーがレンズの前方に起立しながらレンズ鏡筒の側方周囲にそれぞれ移動していく。この動作により、レンズカバーの開閉動作を省スペースで行うことができると共に、ダイナミックさや高級感等の感性的な面を向上させたレンズカバーの開閉動作とすることができる。
【００１２】
［適用例３］上記適用例に係るレンズカバー装置において、レンズの前面を閉塞した場合、レンズカバーは、レンズの中央部に相対する部分が突出する曲面を有して構成され、レンズの前面を開閉する場合、レンズカバーは、曲面がレンズの外径形状に沿うように移動することが好ましい。
【００１３】
このようなレンズカバー装置によれば、レンズの前面を閉塞した場合、レンズの中央部に相対する部分が突出する曲面となることで、湾曲したレンズカバーとすることができ、また、レンズの前面を開閉する場合、湾曲したレンズカバーは、曲面がレンズの外径形状に沿うように移動する。これらにより、レンズカバー装置は、ダイナミックさや高級感等の感性的な面を向上させたレンズカバー形状、および開閉動作とすることができる。また、レンズカバーの開閉動作を省スペースで行うことができる。
【００１４】
［適用例４］上記適用例に係るレンズカバー装置において、レンズカバーを光軸直交方向に回動可能に支持する第１支軸と、第１支軸を支点として、レンズカバーを光軸方向に沿うようにスライド可能に支持する第２支軸と、を備え、レンズの前面を開放する場合、レンズカバーは、前方に起立しながらレンズの中央部から外径方向に移動することが好ましい。
【００１５】
このようなレンズカバー装置によれば、第１支軸と第２支軸とを備えることにより、レンズカバーの開閉動作を省スペースで行うことができると共に、ダイナミックさや高級感等の感性的な面を向上させたレンズカバーの開閉動作とすることができる。
【００１６】
［適用例５］上記適用例に係るレンズカバー装置において、レンズカバーを挿通する孔部を有し、レンズ鏡筒の外周側に設置される筒状部材を備え、レンズの前面を開放する場合、レンズカバーは、孔部の第１の側面に当接することによりレンズの前方に起立することが好ましい。
【００１７】
このようなレンズカバー装置によれば、レンズ鏡筒の外周側に設置される筒状部材の孔部の第１の側面にレンズカバーを当接させてレンズカバーを起立する。これにより、レンズカバー装置は、レンズカバーの開閉動作を省スペースで行うことができると共に、ダイナミックさや高級感等の感性的な面を向上させたレンズカバーの開閉動作とすることができる。
【００１８】
［適用例６］上記適用例に係るレンズカバー装置において、レンズカバーは、それぞれ、レンズカバーのベースとなる第１カバーと、第１カバーに対して支軸を中心に回動可能となる第２カバーと、を備え、第２カバーは、孔部の第２の側面に当接することにより、支軸を中心に回動して第１カバーに重なることが好ましい。
【００１９】
このようなレンズカバー装置によれば、第２カバーは、孔部の第２の側面に当接することにより、支軸を中心に回動して第１カバーに重なる。これにより、レンズカバー装置は、開放動作を行う際、レンズカバーの面積を小さくしていくことができるため、レンズカバーの開閉動作を更に省スペースで行うことができると共に、ダイナミックさや高級感等の感性的な面を更に向上させたレンズカバーの開閉動作とすることができる。
【００２０】
［適用例７］上記適用例に係るレンズカバー装置において、レンズカバーを回動可能に支持する支持部材を有すると共に、レンズ鏡筒の外周側に設置されてレンズカバーを保持する保持部と、保持部をレンズの光軸方向にスライド可能とするリンク機構と、を備えていることが好ましい。
【００２１】
このようなレンズカバー装置によれば、支持部材によりレンズカバーを回動可能に支持し、保持部によりレンズカバーをレンズ鏡筒の外周側に保持し、リンク機構により保持部をレンズの光軸方向にスライドさせる。これにより、レンズカバー装置は、レンズの前面を容易に閉塞および開放させることができる。
【００２２】
［適用例８］上記適用例に係るレンズカバー装置において、レンズの前面を開放する場合、レンズカバーは、レンズ鏡筒の外径端部に当接することによりレンズの前方に起立することが好ましい。
【００２３】
このようなレンズカバー装置によれば、レンズ鏡筒の外径端部に当接することにより、レンズカバーを起立する。これにより、レンズカバー装置は、レンズカバーの開閉動作を省スペースで行うことができると共に、ダイナミックさや高級感等の感性的な面を向上させたレンズカバーの開閉動作とすることができる。
【００２４】
［適用例９］上記適用例に係るレンズカバー装置において、レンズカバーを回動可能に支持する支持部材を有すると共に、レンズ鏡筒の外周側に設置されてレンズカバーを保持する筒状の第１保持部と、第１保持部の内周側または外周側に設置されて第１保持部を保持する筒状の第２保持部と、を備え、第１保持部と第２保持部とは、互いに螺合するねじ部を有し、第１保持部は、第２保持部に対して回動することにより、レンズカバーをレンズ鏡筒の側方周囲に移動させることが好ましい。
【００２５】
このようなレンズカバー装置によれば、第１保持部が第２保持部に対して回動することにより、レンズカバーは、レンズ鏡筒の外径端部を周方向に回転しながら収納される動作を行う。これにより、レンズカバー装置は、レンズカバーの開閉動作を省スペースで行うことができると共に、ダイナミックさや高級感等の感性的な面を向上させたレンズカバーの開閉動作とすることができる。
【００２６】
［適用例１０］上記適用例に係るレンズカバー装置において、Ｎ分割されたレンズカバー同士の隣り合う外形端は、平面視、曲線状に構成されていることが好ましい。
【００２７】
このようなレンズカバー装置によれば、レンズカバーの開閉動作に、ダイナミックさや高級感等の感性的な面を向上させることができる。
【００２８】
［適用例１１］上記適用例に係るレンズカバー装置において、Ｎ分割されたレンズカバー同士の隣り合う外形端は、平面視、曲線で構成され、平面上で二次元的にレンズカバーが開いた場合、曲線がレンズ鏡筒の外径端部に沿うように構成されていることが好ましい。
【００２９】
このようなレンズカバー装置によれば、レンズカバーの開閉動作に、ダイナミックさや高級感等の感性的な面を向上させることができる。また、レンズカバーを移動させる際のスペースが少なくてすみ、レンズカバー装置の小型化を図ることができる。
【００３０】
［適用例１２］上記適用例に係るレンズカバー装置において、レンズカバーは、レンズの中央部を中心として放射状にＮ分割されていることが好ましい。
【００３１】
このようなレンズカバー装置によれば、レンズカバーの開閉動作に、ダイナミックさや高級感等の感性的な面を向上させることができる。
【００３２】
［適用例１３］上記適用例に係るレンズカバー装置において、レンズカバーは、３分割されていることが好ましい。
【００３３】
レンズカバーの分割数が少なすぎるとレンズ鏡筒の周りの空間を大きく必要とすることになる一方、分割数が多すぎると部品点数が多くなり過ぎコストがかかってくることになる。このため、このようなレンズカバー装置によれば、レンズカバーを３分割程度にすることが望ましいと思われる。
【００３４】
［適用例１４］上記適用例に係るレンズカバー装置において、Ｎ分割されたレンズカバーは、それぞれ隣のレンズカバーを受けて支持する受部を備えていることが好ましい。
【００３５】
このようなレンズカバー装置によれば、受部により、レンズカバー同士が隣のレンズカバーを受けて支持することで、レンズカバーがレンズの前面を閉塞した場合、レンズカバーのガタツキを抑制することができる。
【００３６】
［適用例１５］本適用例に係るプロジェクターは、光束を射出する光源装置と、光源装置により射出された光束を画像信号に応じて変調する光変調装置と、変調されて形成された画像光を投写する投写レンズと、上述したいずれかのレンズカバー装置と、を備えることを特徴とする。
【００３７】
このようなプロジェクターによれば、上述したレンズカバー装置を備えることにより、大型化することを抑制し、ダイナミックさや高級感等の感性的な面を向上させたプロジェクターを実現することができる。
【図面の簡単な説明】
【００３８】
【図１】第１実施形態に係るプロジェクターの概略構成を示す模式図。
【図２】投写レンズの概略斜視図。
【図３】投写レンズに装着したレンズカバー装置の開閉動作を示す概略斜視図。
【図４】レンズカバー装置の概略構成および動作を示す概略斜視図。
【図５】レンズカバー装置の概略構成および動作を示す概略斜視図。
【図６】第１支軸の周囲の構造を示す概略斜視図。
【図７】第２実施形態に係るレンズカバー装置の開閉動作を示す概略図。
【図８】レンズカバー装置の開閉動作を示す概略図。
【図９】レンズカバー装置の開閉動作を示す概略図。
【図１０】レンズカバー装置の開閉動作を示す概略図。
【図１１】第３実施形態に係るレンズカバー装置の開閉動作を示す概略図。
【図１２】レンズカバー装置の開閉動作を示す概略図。
【発明を実施するための形態】
【００３９】
以下、実施形態を図面に基づいて説明する。
（第１実施形態）
【００４０】
図１は、第１実施形態に係るプロジェクター１の概略構成を示す模式図である。なお、本実施形態のレンズカバー装置５は、このプロジェクター１の投写レンズ３に設置されている。図１を参照して、プロジェクター１の概略構成と動作に関して簡略に説明する。
【００４１】
本実施形態のプロジェクター１は、光源装置２１から射出される光束を画像信号に応じて変調して画像光を形成し、この画像光をレンズとしての投写レンズ３で、スクリーン（図示省略）等に拡大投写する。なお、図１に示すように、プロジェクター１は、光学ユニット２、各装置を収容して外装を構成する外装筺体１Ａ、プロジェクター１の動作の制御を行う制御部（図示省略）、制御部等に電力を供給する電源装置（図示省略）、およびプロジェクター１内部を冷却する冷却ファンを含む冷却機構（図示省略）等を備えている。
【００４２】
光学ユニット２は、図１に示すように、画像信号に応じて光束を変調して投写するものであり、左右方向に延出すると共に、投写レンズ３が前方向に向けて延出する平面視略Ｌ字形状を有する。光学ユニット２は、光源装置２１、照明光学装置２２、色分離光学装置２３、リレー光学装置２４、電気光学装置２５、およびこれら光学装置２１〜２５を内部に収容すると共に、投写光学装置（投写レンズ３）を所定位置で支持固定する光学部品用筺体２８を備えて構成されている。
【００４３】
光学ユニット２の構成を説明する。
光学ユニット２は、図１に示すように、発光管２１１とリフレクター２１２を有する光源装置２１と、レンズアレイ２２１，２２２、偏光変換素子２２３、重畳レンズ２２４、および平行化レンズ２２５を有する照明光学装置２２とを備える。また、光学ユニット２は、ダイクロイックミラー２３１，２３２、および反射ミラー２３３を有する色分離光学装置２３と、入射側レンズ２４１、リレーレンズ２４３、および反射ミラー２４２，２４４を有するリレー光学装置２４とを備える。
【００４４】
また、光学ユニット２は、光変調装置としての３つの液晶パネル２５３、３つの入射側偏光板２５１、３つの出射側偏光板２５４、および色合成光学装置としてのクロスダイクロイックプリズム２５５を有する電気光学装置２５と、投写光学装置としての投写レンズ３とを備える。また、光学ユニット２は、光源装置２１、照明光学装置２２、色分離光学装置２３、リレー光学装置２４、および電気光学装置２５を内部に収容すると共に、投写レンズ３を所定位置で支持固定する光学部品用筺体２８を備える。
【００４５】
なお、投写レンズ３は、１つあるいは複数のレンズを１つのレンズ群とする複数のレンズ群を備えており、これらのレンズ群が光軸ＯＡに沿って配置されている。そして、投写レンズ３は、入射する画像光をズーム調整する機能、およびフォーカス調整する機能を備えている。
【００４６】
光学ユニット２の概略動作を説明する。
光源装置２１から射出されて照明光学装置２２を経た光束は、色分離光学装置２３により、赤色光、緑色光、青色光の３つの色光に分離される。また、分離された各色光は、各液晶パネル２５３により画像信号に応じてそれぞれ変調される。変調された各色光は、クロスダイクロイックプリズム２５５により合成されて画像光を形成し、投写レンズ３によりスクリーン等に投写される。
【００４７】
図２は、投写レンズ３の概略斜視図である。また、図２は、本実施形態のレンズカバー装置５を装着する前の投写レンズ３を示している。図２を参照して、基本となる投写レンズ３に関して説明する。なお、以降の説明では、投写レンズ３に画像光が入射する入射側を後側、投写レンズ３から画像光が投写される投写側を前側として適宜使用する。
【００４８】
図２に示すように、投写レンズ３は、後側に配置されるフランジ３１、案内筒３２、カム筒３３、および前側筒３４を備えている。また、投写レンズ３は、本実施形態では、光軸ＯＡに沿って前側から順に配置される第１レンズ群〜第７レンズ群（図示省略）を備えている。投写レンズ３は、第７レンズ群から入射した画像光を光学的に処理した後、第１レンズ群から射出する。なお、第１レンズ群を構成する最も前側となるレンズを以降では、レンズ３０として適宜使用する。なお、後述する本実施形態のレンズカバー装置５は、このレンズ３０の前側を開閉する動作を行う。
【００４９】
フランジ３１は、平面視において外形が矩形状に形成されており、中央部には、第７レンズ群が固定配置され、四隅には、ネジを挿通する丸孔３１１が形成されている。投写レンズ３は、このフランジ３１にネジ固定されることにより、光学部品用筺体２８に取り付けられている。
【００５０】
案内筒３２は、大きな径の大円筒部３２１と、小さい径の小円筒部３２２とが互いの端部で結合された形状を有し、大円筒部３２１が前側となるように構成されている。案内筒３２には、小円筒部３２２の前側から後側に向けて光軸ＯＡの方向に沿って切り欠かれた直進溝（図示省略）が形成されている。また、案内筒３２は、小円筒部３２２の後側端部がフランジ３１にネジ固定されている。
【００５１】
カム筒３３は、円筒状に形成されており、内側に案内筒３２が挿嵌され、案内筒３２に対して光軸ＯＡを中心として回動可能となっている。カム筒３３の内周面には、第２レンズ群〜第６レンズ群の移動動作を規定するカム溝（図示省略）が所定の経路で形成されている。
【００５２】
前側筒３４は、円筒状に形成され、フォーカス調整用のレンズ３０を含む第１レンズ群が固定配置されている。前側筒３４は、内周面にネジ部（図示省略）が形成されており、案内筒３２（大円筒部３２１）のネジ部（図示省略）と螺合して案内筒３２に取り付けられている。そして、第１レンズ群は、前側筒３４が光軸ＯＡを中心として回動することによって、光軸ＯＡ方向に沿って移動するように構成されている。なお、前側筒３４が光軸ＯＡを中心として回動することにより、フォーカス調整が行われる。
【００５３】
第２レンズ群〜第６レンズ群は、それぞれレンズ枠（図示省略）に保持されて案内筒３２の小円筒部３２２に挿嵌され、光軸ＯＡに沿って移動可能に構成されている。なお、レンズ枠にはカムピン（図示省略）が形成されており、このカムピンが直進溝およびカム溝に係合されている。そして、各レンズ枠は、このカムピンがカム筒３３の回動により直進溝とカム溝との交点に誘導されることで光軸ＯＡ方向に移動する。なお、カム筒３３が光軸ＯＡを中心として回動することにより、ズーム調整が行われる。
【００５４】
なお、本実施形態の投写レンズ３は、カム筒３３および前側筒３４が電動機構（図示省略）によって回転するように構成されている。なお、以降の説明において、便宜上、回動方向に関して、前側から見て時計回りの方向を「右方向」、反時計回りの方向を「左方向」として適宜使用する。
【００５５】
図３は、投写レンズ３に装着したレンズカバー装置５の開閉動作を示す概略斜視図であり、（ａ）は、レンズカバー５２が投写レンズ３（レンズ３０）を閉塞している状態を示す図であり、（ｂ）は、レンズカバー５２が開放動作を開始した状態を示す図であり、（ｃ）は、レンズカバー５２の開放動作が進んだ状態を示す図であり、（ｄ）は、レンズカバー５２が投写レンズ３（レンズ３０）を開放した状態（開放動作の終了状態）を示す図である。
【００５６】
図４、図５は、レンズカバー装置５の概略構成および動作を示す概略斜視図である。なお、図４、図５は、レンズカバー装置５のカバー筺体５０を取り外した図であり、図３に示す各図に対応させたレンズカバー装置５の動作状態を示している。詳細には、図４（ａ）は、図３（ａ）に対応するレンズカバー装置５の動作状態を示し、図４（ｂ）は、図３（ｂ）に対応するレンズカバー装置５の動作状態を示す。そして、図５（ａ）は、図３（ｃ）に対応するレンズカバー装置５の動作状態を示し、図５（ｂ）は、図３（ｄ）に対応するレンズカバー装置５の動作状態を示す。
【００５７】
図６は、第１支軸５２１の周囲の構造を示す概略斜視図である。
図３〜図６を参照して、レンズカバー装置５の構成および動作を説明する。
【００５８】
図３に示すように、レンズカバー装置５は、投写レンズ３の前側筒３４の外周側に設置される。レンズカバー装置５は、図３、図４に示すように、外装を構成するカバー筺体５０と、レンズカバー装置５のベースとなるベース部５１と、レンズカバー５２と、レンズカバー５２を駆動する駆動部５３とを備えている。
【００５９】
図４に示すように、カバー筺体５０は、投写レンズ３（レンズ３０）、および開放したレンズカバー５２を囲むように、円筒状に形成されている。また、ベース部５１は、図４に示すように、駆動部５３が設置されるベース枠５１０と、後述する第２支軸５２２の移動を案内するガイド枠５１１と、後述する第１支軸５２１を保持する保持枠５１２と、を備えている。
【００６０】
レンズカバー５２は、図３（ａ）に示すように、本実施形態では、３分割されて構成されている。詳細には、レンズカバー５２は、投写レンズ３（レンズ３０）の中央部に相対する位置を中心として放射状に３分割されている。３分割されたレンズカバー５２を、それぞれレンズカバー５２Ａ，５２Ｂ，５２Ｃと呼称する。また、それぞれの隣り合うレンズカバー５２Ａ，５２Ｂ，５２Ｃの外形端部の形状は、平面視で、曲線状に構成されている。
【００６１】
なお、曲線状に構成される外形端部の曲線形状は、前側から平面視した場合で、また、二次元的にレンズカバー５２が開いた場合、前側筒３４の外径端部に沿うように構成されている。言い換えると、外形端部の曲線形状は、平面視で、前側筒３４の外径形状の同心円形状となる曲線形状に構成されている。
【００６２】
レンズカバー５２は、一様の厚さを有して構成されている、また、レンズカバー５２は、レンズ３０の前面を閉塞した場合、レンズ３０の中央部に相対する部分が前方（投写方向）に突出する曲面を有して構成されている。詳細には、本実施形態では、レンズカバー５２は、レンズ３０の中央部に相対する端部５２５（図３（ａ）参照）が投写方向に膨らんだ湾曲面を有して構成されている。
【００６３】
レンズカバー５２は、図４（ａ）に示すように、各レンズカバー５２の外周の端部に、レンズカバー５２を回動およびスライドする支軸（第１支軸５２１、第２支軸５２２）がそれぞれ構成されている。第１支軸５２１は、図４、図５に示すように、レンズカバー５２の外形端部の一方の側に固定される。第１支軸５２１は、図６に示すように、球状部５２１１を備え、保持枠５１２に設置される支軸保持板５１２１と押え板５１２２に、回動可能に挟持される。これにより、第１支軸５２１は、レンズカバー５２を光軸ＯＡの直交方向に回動可能に支持する。
【００６４】
なお、支軸保持板５１２１から、第１支軸５２１に繋がるレンズカバー５２にかけて、図示省略する付勢部材としてのコイルばねが設置されている。このコイルばねは、ねじりコイルばねとして構成されている。コイルばねは、第１支軸５２１を支点として回動するレンズカバー５２を付勢することにより、レンズ３０を閉塞する状態に戻す働きを有している。
【００６５】
第２支軸５２２は、図４（ａ）に示すように、レンズカバー５２の外形端部の他方の側に固定される。第２支軸５２２は、ガイド枠５１１に長孔として形成されるガイド孔５１１１に挿通する軸部（図示省略）と、抜け止め用の係止板５２２１とを備えている。なお、ガイド孔５１１１は、概略、光軸ＯＡ方向に沿うように形成されている。第２支軸５２２は、軸部がガイド孔５１１１に沿って摺動する。これにより、第２支軸５２２は、第１支軸５２１を支点として、レンズカバー５２を光軸ＯＡ方向に沿うようにスライド可能に支持する。なお、第２支軸５２２が摺動してスライドすることにより、レンズカバー５２は開閉動作を行う。なお、各レンズカバー５２（５２Ａ，５２Ｂ，５２Ｃ）は、それぞれ上述したと同様に構成されている。
【００６６】
駆動部５３は、レンズカバー５２を開閉動作させる動力を発生させるものである。駆動部５３は、図示省略するモーターと、モーターの駆動に従動して回動するベルト５３１と、ベルト５３１の回動に従動して回動するプーリー５３２と、プーリー５３２の回動に従動して回動するドラム５３３と、ドラム５３３に一端が巻回され、他端がベース枠５１０の案内溝（図示省略）を経由して第２支軸５２２の軸部に固定されるワイヤー（図示省略）とを備えている。
【００６７】
ベルト５３１は、略円板状のベース枠５１０の外周に沿った状態に設置されている。また、ベルト５３１の内周で、ベース枠５１０の前側の面には、プーリー５３２が設置されている。プーリー５３２の後側の端部には、ギヤ５３２１が設置され、このギヤ５３２１がベース枠５１０の後側の面に設置されるドラム５３３の有するギヤ５３３１に噛合っている。なお、プーリー５３２、ドラム５３３、およびワイヤーは、３つのレンズカバー５２（５２Ａ，５２Ｂ，５２Ｃ）に対応して、３セット設置されている。
【００６８】
図３（ａ）、図４（ａ）は、レンズカバー５２がレンズ３０の前面を覆う閉塞した状態を示している。この状態では、図４（ａ）に示すように、第２支軸５２２が、ガイド孔５１１１の最も前側に位置している。また、モーターは駆動を止めている。ワイヤーは、ドラム５３３から繰り出されて、張った状態となっている。
【００６９】
図３（ｂ）、図４（ｂ）は、レンズカバー５２が、レンズ３０を閉塞した状態から開放動作を開始した状態を示している。図４（ｂ）に示すように、モーターが順方向（開放させる方向）の駆動を開始した場合、ベルト５３１は、矢印で示すように回転を開始する。ベルト５３１の回転によりプーリー５３２が矢印で示すように回転を開始する。プーリー５３２の回転により、ドラム５３３が矢印で示すように回転を開始する。
【００７０】
この一連の動作により、ワイヤーは、ドラム５３３に巻かれ始める。そして、ワイヤーの第２支軸５２２に対する張力が、第１支軸５２１に設置されるコイルばねの付勢力に勝ることにより、ワイヤーは第２支軸５２２を後側に引張る動作を行う。これにより、レンズカバー５２は、第１支軸５２１を支点として、図４（ｂ）に示すように、第２支軸５２２がガイド孔５１１１に沿って後側にスライドを開始する。この動作により、レンズカバー５２は、開放動作を開始する。なお、ワイヤーは、第２支軸５２２とドラム５３３との間に常にテンションを有した状態となっている。
なお、ここに示したワイヤー引張りによる駆動に代えて第２支軸５２２を上下させるリンク機構を採用することも可能である。
【００７１】
レンズカバー５２は、第１支軸５２１を支点として、第２支軸５２２が、光軸ＯＡ方向に沿うように、ガイド孔５１１１を摺動しながらスライド動作を行う。この動作により、レンズカバー５２は、図３（ｂ）に示すように、レンズ３０の中央部に相対するレンズカバー５２の端部５２５を頂点として、前方（前側）に起立する状態となる。また、レンズカバー５２は、開放動作を開始した場合、第１支軸５２１を支点として、レンズ３０の中央部から外径方向に移動（回転）を開始する。
【００７２】
図３（ｃ）、図５（ａ）は、レンズカバー５２の開放動作が進んだ状態を示している。駆動部５３は、上述した同様の動作が維持される。なお、湾曲面を有して構成されるレンズカバー５２は、開放動作において、レンズ３０の外径形状となる丸形状に沿うように移動する。なお、各レンズカバー５２Ａ，５２Ｂ，５２Ｃは、光軸ＯＡを対称軸として、略同様のタイミングで略対称に開く動作（開放動作）を行う。
【００７３】
図３（ｄ）、図５（ｂ）は、レンズカバー５２がレンズ３０を開放した状態（開放動作の終了状態）を示している。この場合、図５（ｂ）に示すように、レンズカバー５２は、第２支軸５２２がガイド孔５１１１の最も後側に位置している。また、モーターは駆動を止める。ワイヤーは、ドラム５３３に巻回され、張った状態となっている。また、この状態では、レンズカバー５２は、それぞれ、レンズ３０を収容するレンズ鏡筒としての前側筒３４の側方周囲にそれぞれ移動した状態となる。そして、レンズカバー５２は、カバー筺体５０に囲まれて収容された状態となる。
【００７４】
なお、レンズカバー５２がレンズ３０を開放した状態から、レンズカバー５２に閉塞動作を行わせる場合には、モーターに、逆方向（閉塞させる方向）の駆動を行わせる。これにより、ベルト５３１は、図４（ｂ）に示す矢印方向とは逆方向の回転を開始する。ベルト５３１の逆方向の回転により、プーリー５３２が図４（ｂ）に示す矢印方向とは逆方向の回転を開始する。プーリー５３２の逆方向の回転により、ドラム５３３が図４（ｂ）に示す矢印方向とは逆方向の回転を開始する。
【００７５】
これにより、レンズカバー５２は、コイルばねの付勢力により、第１支軸５２１を支点として、第２支軸５２２が、光軸ＯＡ方向に沿うように、ガイド孔５１１１に摺動しながら前側にスライド動作を行う。この動作により、レンズカバー５２は、閉塞動作を開始する。そして、レンズカバー５２は、開放動作とは逆の動作を継続し、開放動作の軌跡を逆にたどる動作を行うことにより、図３（ａ）、図４（ａ）に示すように、レンズ３０を閉塞する状態となる。なお、湾曲面を有して構成される各レンズカバー５２Ａ，５２Ｂ，５２Ｃは、レンズ３０の外径形状となる丸形状に沿うように移動し、光軸ＯＡを対称軸として、略同様のタイミングで略対称に閉じる動作（開閉動作）を行う。
【００７６】
図３（ｂ）、図５（ａ）に示すように、各レンズカバー５２（５２Ａ，５２Ｂ，５２Ｃ）の端部５２５には、それぞれ隣のレンズカバー５２を受けて支持する受部５２６（５２６Ａ，５２６Ｂ，５２６Ｃ）が設置されている。詳細には、レンズカバー５２Ａに設置される受部５２６Ａは、レンズカバー５２Ａの端部５２５で、内面側から隣のレンズカバー５２Ｂに向って延出して設置される。なお、他のレンズカバー５２Ｂ，５２Ｃにおいてもレンズカバー５２Ａと同様に、受部５２６Ｂ，５２６Ｃが設置される。
【００７７】
そして、図３（ａ）、図４（ａ）に示すように、レンズ３０を閉塞する状態となった場合、レンズカバー５２Ａの受部５２６Ａは、隣のレンズカバー５２Ｂの端部５２５の内面部分が当接することで、レンズカバー５２Ｂを受けて支持する状態となる。また、レンズカバー５２Ｂの受部５２６Ｂは、隣のレンズカバー５２Ｃの端部５２５の内面部分が当接することで、レンズカバー５２Ｃを受けて支持する状態となる。同様に、レンズカバー５２Ｃの受部５２６Ｃは、隣のレンズカバー５２Ａの端部５２５の内面部分が当接することで、レンズカバー５２Ａを受けて支持する状態となる。
【００７８】
このように、レンズ３０を閉塞する状態となった場合、レンズカバー５２（５２Ａ，５２Ｂ，５２Ｃ）は、それぞれの端部５２５に設置される受部５２６（５２６Ａ，５２６Ｂ，５２６Ｃ）により、３つのレンズカバー５２Ａ，５２Ｂ，５２Ｃが相互に支持し合う状態となる。これにより、それぞれの受部５２６（５２６Ａ，５２６Ｂ，５２６Ｃ）は、レンズカバー５２（５２Ａ，５２Ｂ，５２Ｃ）のガタツキ、特に光軸ＯＡ方向のガタツキを抑制する。
【００７９】
上述した第１実施形態によれば、以下の効果が得られる。
本実施形態のレンズカバー装置５によれば、投写レンズ３（レンズ３０）の前面を開放した場合、３分割されたレンズカバー５２は、レンズ３０を収容するレンズ鏡筒（前側筒３４）の側方周囲にそれぞれ移動することにより、開閉動作を省スペースで行うことができる。
【００８０】
本実施形態のレンズカバー装置５によれば、レンズ３０の前面を閉塞した場合、レンズカバー５２は、レンズ３０の中央部に相対する端部５２５が投写方向に突出する曲面（湾曲面）を有して構成されている。そして、レンズ３０の前面を開閉する場合、湾曲面を有して構成されるレンズカバー５２は、この湾曲面がレンズ３０の外径形状となる丸形状に沿うように移動する。従って、レンズカバー装置５は、ダイナミックさや高級感等の感性的な面を向上させたレンズカバー５２の形状、および開閉動作とすることができる。また、レンズカバー５２の開閉動作を省スペースで行うことができる。
【００８１】
本実施形態のレンズカバー装置５によれば、レンズカバー５２を光軸ＯＡの直交方向に回動可能に支持する第１支軸５２１と、第１支軸５２１を支点として、レンズカバー５２を光軸ＯＡ方向に沿うようにスライド可能に支持する第２支軸５２２と、を備えている。そして、この第１支軸５２１と第２支軸５２２とを備えることにより、開放動作時には、レンズカバー５２を前方に起立させながらレンズ３０の中央部から外径方向に回転させる。また、閉塞動作時には、逆の動作を行わせることができる。これにより、レンズカバー５２の開閉動作を省スペースで行うことができると共に、ダイナミックさや高級感等の感性的な面を向上させたレンズカバー５２の開閉動作とすることができる。
【００８２】
本実施形態のレンズカバー装置５によれば、レンズカバー５２Ａ，５２Ｂ，５２Ｃのそれぞれ隣り合う外形端部の形状は、平面視で、曲線状に構成されている。また、レンズカバー５２Ａ，５２Ｂ，５２Ｃは、レンズ３０の中央部に相対する位置を中心として放射状に分割されている。これらにより、レンズカバー５２の開閉動作に、ダイナミックさや高級感等の感性的な面を向上させることができる。
【００８３】
本実施形態のレンズカバー装置５によれば、レンズカバー５２Ａ，５２Ｂ，５２Ｃのそれぞれ隣り合う外形端部の形状は、平面視で、曲線（曲線形状）で構成され、平面上で二次元的にレンズカバー５２Ａ，５２Ｂ，５２Ｃが開いた場合、曲線が前側筒３４の外径端部に沿うように構成されている。これにより、レンズカバー５２の開閉動作に、ダイナミックさや高級感等の感性的な面を向上させることができる。また、レンズカバー５２を移動させる際のスペースが少なくてすみ、レンズカバー装置５の小型化を図ることができる。
【００８４】
本実施形態のレンズカバー装置５によれば、レンズカバー５２は３分割されている。従って、閉塞した状態で、レンズカバー５２を互いに支持し合う（固定する）ことにおいて、最も安定させることができ、レンズカバー５２の開閉動作を安定させることができる。
【００８５】
本実施形態のレンズカバー装置５によれば、レンズカバー５２は３分割されている。従って、レンズカバー５２を収容する前側筒３４の周りの空間を適度とすることができ、また、レンズカバー５２を組み立てるのに必要とする部品コストや製造コストも適度とすることができる。なお、レンズカバーの分割数が少ないと前側筒３４の周りの空間を大きく必要とすることになる一方、分割数が多いと構成部品数が多くなり部品コストや製造コストが増加することになる。
【００８６】
本実施形態のレンズカバー装置５によれば、３分割されたレンズカバー５２（５２Ａ，５２Ｂ，５２Ｃ）は、それぞれ受部５２６（５２６Ａ，５２６Ｂ，５２６Ｃ）を備えている。そして、受部５２６Ａは隣のレンズカバー５２Ｂを受けて支持し、受部５２６Ｂは隣のレンズカバー５２Ｃを受けて支持し、受部５２６Ｃは隣のレンズカバー５２Ａを受けて支持する。これにより、レンズカバー５２がレンズ３０の前面を閉塞した場合、相互にレンズカバー５２のガタツキ、特に、光軸ＯＡ方向のガタツキを抑制することができる。従って、各レンズカバー５２（５２Ａ，５２Ｂ，５２Ｃ）の外面は、段差が押えられ、湾曲面が滑らかにつながることにより、レンズカバー５２に対する高級感等の感性的な面を向上させることができる。
【００８７】
本実施形態のプロジェクター１によれば、レンズカバー装置５を備えることにより、大型化することを抑制し、ダイナミックさや高級感等の感性的な面を向上させたプロジェクターを実現することができる。
（第２実施形態）
【００８８】
図７〜図１０は、第２実施形態に係るレンズカバー装置６の開閉動作を示す概略図である。なお、図７〜図１０は、投写レンズ３に装着したレンズカバー装置６を示している。
【００８９】
詳細には、図７は、レンズカバー６２が投写レンズ３（レンズ３０）を閉塞している状態を示す図であり、（ａ）は正面図であり、（ｂ）は斜視図である。図８は、レンズカバー６２が投写レンズ３（レンズ３０）の開放動作を開始した状態を示す図であり、（ａ）は正面図であり、（ｂ）は斜視図である。図９は、レンズカバー６２が投写レンズ３（レンズ３０）を開放した状態（開放動作の終了状態）を示す図であり、（ａ）は正面図であり、（ｂ）は斜視図である。
【００９０】
図１０は、レンズカバー装置６の開閉動作を示す概略側面図であり、（ａ）は、レンズカバー６２がレンズ３０を閉塞している状態を示す図であり、（ｂ）は、レンズカバー６２がレンズ３０の開放動作を開始した状態を示す図であり、（ｃ）は、レンズカバー６２がレンズ３０を開放した状態（開放動作の終了状態）を示す図である。なお、図１０（ａ）は、図７に対応した側面図であり、図１０（ｂ）は、図８に対応した側面図であり、図１０（ｃ）は、図９に対応した側面図である。なお、図１０は、カバー筺体６０の内側に設置されるレンズカバー保持部６１を透視した図としている。
図７〜図１０を参照して、レンズカバー装置６の構成および動作を説明する。
【００９１】
図７に示すように、レンズカバー装置６は、第１実施形態のレンズカバー装置５と同様に、投写レンズ３の前側筒３４の外周に設置される。レンズカバー装置６は、外装を構成するカバー筺体６０と、レンズカバー６２と、レンズカバー６２を保持するレンズカバー保持部６１（図１０参照）とを備えている。また、レンズカバー装置６は、レンズカバー保持部６１を駆動してレンズカバー６２を開閉動作させる駆動部としてのリンク機構６３を備えている。
【００９２】
図７〜図１０に示すように、カバー筺体６０は、投写レンズ３（レンズ３０）、および開放したレンズカバー６２を囲むように、円筒状に形成されている。また、カバー筺体６０は、前側のカバー筺体６０を構成する第１筺体６０１と、後側のカバー筺体６０を構成する第２筺体６０２とを備えている。なお、第１筺体６０１は、第２筺体６０２に比べて外径が大きく形成されている。
【００９３】
また、第１筺体６０１は、レンズ３０が配置される前側筒３４の前側端面より若干前側の位置で、前側筒３４の外周側に、光軸ＯＡに垂直な端面６０１ａを有している。この端面６０１ａには、矩形状の孔部６０１１が設置されている。孔部６０１１は、レンズカバー６２、およびレンズカバー保持部６１の一部が挿通する。
【００９４】
孔部６０１１は、レンズカバー６２の分割数に対応して設置されている。後述するが、レンズカバー６２は、本実施形態では３分割されている。このため、孔部６０１１は、光軸ＯＡを中心に、略等間隔（約１２０度間隔）で、３つ形成されている。
【００９５】
第２筺体６０２は、孔部６０１１の後側の内周面で、後述するレンズカバー保持部６１（図１０参照）を光軸ＯＡ方向に沿うようにスライド可能に保持する。また、レンズカバー保持部６１を保持する内周面に相対する第２筺体６０２の外周面には、レンズカバー保持部６１をスライドさせるリンク機構６３が設置されている。第２筺体６０２の外周面には、レンズカバー保持部６１に設置される案内突起６１３を挿通し、リンク機構６３の動作により、案内突起６１３を摺動させてスライドさせるガイド孔６０２１が光軸ＯＡ方向に沿うように設置されている。
【００９６】
リンク機構６３は、レバー６３１を有して構成されている。レバー６３１は、一端部をレバー支軸６３１１で支持され、レバー支軸６３１１を支点に回動する。また、レバー６３１は、他端部に長孔６３１２を有している。なお、リンク機構６３は、レンズカバー６２の分割数に対応させて設置され、孔部６０１１の後側で、第２筺体６０２の外周側に３つ設置されている。
【００９７】
なお、第２筺体６０２の内周側に設置されるレンズカバー保持部６１の案内突起６１３は、第２筺体６０２に設置されるガイド孔６０２１を挿通して、レバー６３１の長孔６３１２に係合する。言い換えると、案内突起６１３は、第２筺体６０２のガイド孔６０２１と、レバー６３１の長孔６３１２とに係合する。なお、リンク機構６３は、図示省略するモーターの駆動によりレバー６３１を駆動する。
【００９８】
レンズカバー保持部６１は、図１０に示すように、レンズカバー６２を保持すると共に、リンク機構６３と協働してレンズ３０に対してレンズカバー６２を開閉動作させるものである。レンズカバー保持部６１は、レンズカバー６２を回動可能に支持するレンズカバー支持部材６１１を備えている。また、レンズカバー保持部６１は、レンズカバー支持部材６１１を前側端部に保持し、リンク機構６３の動作により、第２筺体６０２の内周に案内されてスライドするレンズカバー保持部材６１２を備えている。そしてレンズカバー保持部材６１２は、第２筺体６０２のガイド孔６０２１（図７（ｂ）参照）と、レバー６３１の長孔６３１２とに係合する案内突起６１３を備えている。レンズカバー保持部６１もレンズカバー６２の分割数に対応して、孔部６０１１の後側で、第２筺体６０２の内周側に３つ設置されている。
【００９９】
レンズカバー６２は、平板状に形成され、平面視で、レンズ３０の中央部に相対する位置を中心として放射状に３分割されている。なお、図７に示すように、３分割されたそれぞれのレンズカバー６２（６２Ａ，６２Ｂ，６２Ｃ）は、それぞれ２つの部材から構成されている。詳細には、レンズカバー６２（例えば、レンズカバー６２Ａ）は、レンズカバー６２のベースとなる第１カバー６２１（例えば、第１カバー６２１Ａ）と、第１カバー６２１に保持されて第１カバー６２１に対して支軸６２２１を中心に回動可能となる第２カバー６２２（例えば、第２カバー６２２Ａ）とを備えている。同様に、レンズカバー６２Ｂは、第１カバー６２１Ｂと第２カバー６２２Ｂとを備え、レンズカバー６２Ｃは、第１カバー６２１Ｃと第２カバー６２２Ｃとを備える。なお、第１カバー６２１は、レンズカバー保持部６１（レンズカバー支持部材６１１）に、回動可能に支持される。
【０１００】
第２カバー６２２は、第１カバー６２１に対して支軸６２２１を中心に回動する。その際、第２カバー６２２は、第２カバー６２２の内側に形成される案内突起６２２２が第１カバー６２１の内側に形成されるガイド溝６２１１に案内されることにより回動する。なお、第１カバー６２１と第２カバー６２２とには、支軸６２２１を支点として、常に第２カバー６２２を第１カバー６２１に対して開く方向に付勢する付勢部としてのコイルばね（図示省略）が設置されている。
【０１０１】
なお、３つのレンズカバー６２Ａ，６２Ｂ，６２Ｃは、それぞれ上述した第１カバー６２１、第２カバー６２２、支軸６２２１、案内突起６２２２、ガイド溝６２１１、およびコイルばねの構成を有して構成されている。この構成により、レンズカバー６２を平面視した場合、６分割されているように見せることができる。なお、３つのレンズカバー６２Ａ，６２Ｂ，６２Ｃにおいて、それぞれ隣り合う外形端部の形状は、平面視で、曲線状に構成されている。
【０１０２】
図７、図１０（ａ）は、レンズカバー６２がレンズ３０の前面を覆う閉塞した状態を示している。この場合、リンク機構６３のレバー６３１は、ガイド孔６０２１の最も前側に位置し、レバー６３１に従動するレンズカバー保持部６１も最も前側に位置している。なお、レンズカバー支持部材６１１と第１カバー６２１とには、第１カバー６２１を閉じる方向に付勢するコイルばね（図示省略）が設置されている。このコイルばねにより、レンズカバー支持部材６１１が最も前側に位置した状態では、第１カバー６２１は、孔部６０１１から前側に抜け出ることにより、抵抗が付加されないため、光軸ＯＡ方向に向かって回転することで、レンズ３０の前面を閉塞する。なお、この状態のとき、レンズカバー支持部材６１１は、孔部６０１１の内部に位置している。
【０１０３】
図８、図１０（ｂ）は、レンズカバー６２がレンズ３０を閉塞した状態から、開放動作を開始した状態を示している。モーターが順方向（開放させる方向）の駆動を開始した場合、レバー６３１は、図８（ｂ）、図１０（ｂ）に矢印で示すように、レバー支軸６３１１を支点に回転を開始する。レバー６３１の回転により、ガイド孔６０２１と長孔６３１２とに係合する案内突起６１３は、長孔６３１２を摺動しながら、図８（ｂ）に矢印で示すように、ガイド孔６０２１を後側にスライドする。
【０１０４】
案内突起６１３がガイド孔６０２１を後側にスライドすることにより、レンズカバー保持部６１が従動して、図１０（ｂ）に矢印で示すように、後側にスライドする。レンズカバー保持部６１が後側にスライドすることにより、レンズカバー支持部材６１１に回動可能に支持されるレンズカバー６２には、後側に引張る力が作用する。
【０１０５】
レンズカバー支持部材６１１により、レンズカバー６２に対して、後側に引張る力が作用した場合、この引張る力が、レンズカバー支持部材６１１と第１カバー６２１との間に設置されるコイルばねの付勢力に勝ることにより、レンズカバー６２は、孔部６０１１に向かって移動する。そして、第１カバー６２１は、内面側が、コイルばねの付勢力により、孔部６０１１の光軸ＯＡ側となる第１の側面としての側面６０１１ａに当接する。
【０１０６】
この動作により、レンズカバー６２は、図８、図１０（ｂ）に示すように、開放動作を開始する。レンズカバー６２は、開放動作を開始した場合、レンズ３０の中央部に相対するレンズカバー６２の端部６２５を頂点として、投写レンズ３の投写方向（前側）に起立する状態となる。
【０１０７】
そして、レンズカバー支持部材６１１により、レンズカバー６２を後側に引張る力が継続することにより、第１カバー６２１は、内面側が孔部６０１１の光軸ＯＡ側の側面６０１１ａに当接しながら摺動し、除々に孔部６０１１に挿入されていく。この動作により、レンズカバー６２は、起立しながらレンズ３０の中央部から外径方向に移動（回転）していく。
【０１０８】
ここまでは、第２カバー６２２は第１カバー６２１に従動して動作する。しかし、第１カバー６２１の孔部６０１１への挿入が進み、第２カバー６２２の外周端６２２３が孔部６０１１の側面６０１１ａに略垂直に交差する第２の側面としての側面６０１１ｂに当接した場合、第２カバー６２２は、第１カバー６２１に対して移動（回転）を開始する。
【０１０９】
第２カバー６２２の外周端６２２３が、孔部６０１１の側面６０１１ｂに当接し始めた場合、第１カバー６２１を引張る力が、第１カバー６２１と第２カバー６２２とに設置されたコイルばねの付勢力に勝ることにより、第２カバー６２２は、支軸６２２１を支点として第１カバー６２１の内面側に重なる方向に回転する。これにより、レンズカバー６２は、第１カバー６２１が起立しながらレンズ３０の外径方向に移動（回転）すると共に、第２カバー６２２が第１カバー６２１の内面側に重なるように移動（回転）して、レンズカバー６２としての面積を除々に小さくする動作を行う。なお、各レンズカバー６２Ａ，６２Ｂ，６２Ｃは、光軸ＯＡを対称軸として、略同様のタイミングで略対称に開く動作（開放動作）を行う。
【０１１０】
図９、図１０（ｃ）は、レンズカバー６２がレンズ３０を開放した状態（開放動作の終了状態）を示している。この場合、リンク機構６３のレバー６３１は、ガイド孔６０２１の最も後側に位置し、レバー６３１に従動するレンズカバー保持部６１も最も後側に位置している。レンズカバー６２は、第１カバー６２１が起立しながらレンズ３０の外径方向に移動（回転）すると共に、第２カバー６２２が第１カバー６２１の内面側に重なるように移動（回転）する動作を行い、最終的には、孔部６０１１の内部に挿入される。
【０１１１】
レンズカバー支持部材６１１が最も後側に位置した状態では、第１カバー６２１は、図１０（ｃ）に示すように、孔部６０１１の内部に位置している。そして、第２カバー６２２は、第１カバー６２１の内面側に重なった状態で、同様に、孔部６０１１の内部に位置している。言い換えると、３分割されたレンズカバー６２は、レンズ３０を開放した場合、レンズ３０を収容するレンズ鏡筒としての前側筒３４の側方周囲にそれぞれ移動した状態となる。また、この状態で、レンズカバー６２は、レンズカバー６２としての面積が最も小さくなる。そして、レンズカバー６２は、カバー筺体６０に囲まれて収容された状態となる。
【０１１２】
なお、レンズカバー６２がレンズ３０を開放した状態から、レンズカバー６２に閉塞動作を行わせる場合には、モーターに、逆方向（閉塞させる方向）の駆動を行わせる。これにより、レバー６３１は、図８（ｂ）、図１０（ｂ）に示す矢印方向とは逆方向の回転を開始する。レバー６３１の逆方向の回転により、案内突起６１３が図８（ｂ）に示す矢印方向とは逆方向（前側方向）のスライドを開始する。案内突起６１３の逆方向のスライドにより、レンズカバー保持部６１が図１０（ｂ）に示す矢印方向とは逆方向（前側方向）のスライドを開始する。
【０１１３】
これにより、レンズカバー６２は、レンズカバー支持部材６１１に前側に押されて、孔部６０１１の内部を前側に移動する。そして、レンズカバー６２は、レンズカバー支持部材６１１に前側に継続して押されることにより、開放動作の軌跡を逆にたどる動作を行うことにより、図７、図１０（ａ）に示すように、レンズ３０を閉塞する状態となる。なお、各レンズカバー６２Ａ，６２Ｂ，６２Ｃは、光軸ＯＡを対称軸として、略同様のタイミングで略対称に閉じる動作（開閉動作）を行う。
【０１１４】
なお、レンズカバー６２（第２カバー６２２）は、レンズカバー６２（第１カバー６２１）の端部６２５近傍の内面側に、第１実施形態の受部５２６と同様に、それぞれ受部（図示省略）が設置されている。そして、レンズ３０を閉塞する状態となった場合、受部により、第１実施形態と同様に、３つのレンズカバー６２（６２Ａ，６２Ｂ，６２Ｃ）が相互に支持し合う状態となる。これにより、それぞれの受部は、レンズカバー６２（６２Ａ，６２Ｂ，６２Ｃ）のガタツキ、特に光軸ＯＡ方向のガタツキを抑制する。
【０１１５】
上述した第２実施形態によれば、以下の効果が得られる。
本実施形態のレンズカバー装置６によれば、投写レンズ３（レンズ３０）の前面を開放する場合、レンズカバー６２が投写レンズ３の投写方向に起立してレンズ鏡筒（前側筒３４）の側方周囲にそれぞれ移動する。この動作により、レンズカバー６２の開閉動作を省スペースで行うことができると共に、ダイナミックさや高級感等の感性的な面を向上させたレンズカバー６２の開閉動作とすることができる。
【０１１６】
本実施形態のレンズカバー装置６によれば、レンズ鏡筒（前側筒３４）の外周側に設置される筒状部材（カバー筺体６０）の孔部６０１１の側面６０１１ａにレンズカバー６２（第１カバー６２１）の内面側を当接させてレンズカバー６２を起立する。これにより、レンズカバー装置６は、レンズカバー６２の開閉動作を省スペースで行うことができると共に、ダイナミックさや高級感等の感性的な面を向上させたレンズカバー６２の開閉動作とすることができる。
【０１１７】
本実施形態のレンズカバー装置６によれば、レンズカバー６２は、それぞれ、レンズカバー６２のベースとなる第１カバー６２１と、第１カバー６２１に対して支軸６２２１を中心に回動可能となる第２カバー６２２と、を備えている。そして、第２カバー６２２は、孔部６０１１の側面６０１１ｂに当接することにより、支軸６２２１を中心に回動して第１カバー６２１に重なる。これにより、レンズカバー装置６は、開放動作を行う際、レンズカバー６２の面積を小さくしていくことができるため、レンズカバー６２の開閉動作を更に省スペースで行うことができると共に、ダイナミックさや高級感等の感性的な面を更に向上させたレンズカバー６２の開閉動作とすることができる。
【０１１８】
本実施形態のレンズカバー装置６によれば、レンズカバー支持部材６１１によりレンズカバー６２（第１カバー６２１）を回動可能に支持すと共に、レンズカバー保持部６１（レンズカバー保持部材６１２）によりレンズカバー６２をレンズ鏡筒（前側筒３４）の外周側に保持し、リンク機構６３によりレンズカバー保持部６１を投写レンズ３の光軸ＯＡ方向にスライドさせる。これにより、レンズカバー装置６は、レンズ３０の前面を容易に閉塞および開放させることができる。
【０１１９】
本実施形態のレンズカバー装置６によれば、第１実施形態と同様に、レンズカバー６２Ａ，６２Ｂ，６２Ｃのそれぞれ隣り合う外形端部の形状は、平面視で、曲線状に構成されている。また、レンズカバー６２Ａ，６２Ｂ，６２Ｃは、レンズ３０の中央部に相対する位置を中心として放射状に分割されている。これらにより、レンズカバー６２の開閉動作に、ダイナミックさや高級感等の感性的な面を向上させることができる。
【０１２０】
本実施形態のレンズカバー装置６によれば、第１実施形態と同様に、レンズカバー６２は３分割されている。従って、閉塞した状態で、レンズカバー６２を互いに支持し合う（固定する）ことにおいて、最も安定させることができ、レンズカバー６２の開閉動作を安定させることができる。
（第３実施形態）
【０１２１】
図１１、図１２は、第３実施形態に係るレンズカバー装置７の開閉動作を示す概略図である。なお、図１１、図１２は、投写レンズ３に装着したレンズカバー装置７を示している。詳細には、図１１は、レンズカバー７２が投写レンズ３（レンズ３０）を閉塞している状態を示す図であり、（ａ）は斜視図であり、（ｂ）は側面図である。図１２は、レンズカバー７２が投写レンズ３（レンズ３０）を開放した状態（開放動作の終了状態）を示す図であり、（ａ）は斜視図であり、（ｂ）は側面図である。
図１１、図１２を参照して、レンズカバー装置７の構成および動作を説明する。
【０１２２】
図１１に示すように、レンズカバー装置７は、第１実施形態のレンズカバー装置５と同様に、投写レンズ３の前側筒３４の外周側に設置される。レンズカバー装置７は、レンズカバー７２と、レンズカバー７２を保持する筒状の第１保持部７１と、第１保持部７１の外周側に設置されて第１保持部７１と螺合する筒状の第２保持部７３とを備えている。なお、レンズカバー装置７は、本実施形態では、手動により第１保持部７１を第２保持部７３に対して、光軸ＯＡを中心に回動させることにより、開閉動作を行う。
【０１２３】
図１１、図１２に示すように、第１保持部７１は、投写レンズ３（レンズ３０）を囲むように、円筒状に形成されている。また、第１保持部７１は、大きい径の大円筒部７１１と、小さい径の小円筒部７１２とが互いの端部で結合された形状を有し、大円筒部７１１が前側となるように構成されている。
【０１２４】
大円筒部７１１の前側の端面には、レンズカバー７２を回動可能に支持するレンズカバー支持部材７１５がレンズカバー７２の分割数に対応して設置されている。後述するが、レンズカバー７２は、本実施形態では３分割されている。このため、レンズカバー支持部材７１５は、光軸ＯＡを中心に、略等間隔（約１２０度間隔）で、３つ形成されている。小円筒部７１２の外周面には、第２保持部７３のネジ部（図示省略）と螺合するネジ部（図示省略）が形成されている。
【０１２５】
第２保持部７３は、第１保持部７１の小円筒部７１２の外周側に設置される。第２保持部７３の内周面には、小円筒部７１２のネジ部（図示省略）と螺合するネジ部（図示省略）が形成されている。なお、第２保持部７３は、投写レンズ３のフランジ３１に間接的に固定されている。
【０１２６】
レンズカバー７２は、平板状に形成され、平面視で、レンズ３０の中央部に相対する位置を中心として放射状に３分割されている。レンズカバー７２は、レンズカバー支持部材７１５に、回動可能に支持される。なお、レンズカバー７２とレンズカバー支持部材７１５とには、常にレンズカバー７２を閉じる方向に付勢するコイルばね（図示省略）が設置されている。
【０１２７】
３つのレンズカバー７２Ａ，７２Ｂ，７２Ｃは、それぞれ同様に構成されている。なお、３つのレンズカバー７２Ａ，７２Ｂ，７２Ｃにおいて、それぞれ隣り合う外形端部の形状は、平面視で、曲線状に構成されている。
【０１２８】
図１１に示すように、第１保持部７１が最も前側に位置する場合には、レンズカバー７２は、抵抗が付加されないため、コイルばねにより、レンズカバー支持部材７１５を支点として光軸ＯＡ方向に向かって回転することにより、レンズ３０の前面を閉塞する。
【０１２９】
レンズカバー７２がレンズ３０を閉塞した状態から、開放動作を開始させる場合には、図１２に矢印で示すように、大円筒部７１１を手動により光軸ＯＡを中心に回転させる。なお、本実施形態では、右方向に回転させる。第１保持部７１と第２保持部７３とは、互いのネジ部が螺合して回転する。
【０１３０】
なお、本実施形態では、第２保持部７３は固定されているため、大円筒部７１１を右方向に回転させることにより、第１保持部７１は、第２保持部７３に対して回転しながら、光軸ＯＡに沿って、前側から後側に移動を開始する。
【０１３１】
レンズカバー７２の内面側には、レンズカバー７２の内面に略垂直に突出する突起片７２１が形成されている。第１保持部７１が、前側から後側に移動を開始した場合、レンズカバー支持部材７１５も従動して移動する。
【０１３２】
レンズカバー支持部材７１５に支持されるレンズカバー７２に対して、後側に引張る力が作用した場合、この引張る力が、レンズカバー支持部材７１５とレンズカバー７２との間に設置されるコイルばねの付勢力に勝ることにより、レンズカバー７２は、後側に向かって移動する。
【０１３３】
そして、レンズカバー７２は、コイルばねの付勢力により、内面側に形成される突起片７２１が、レンズ３０を固定する前側筒３４の外径端部３４１に当接し、外径端部３４１の周方向に摺動しながら回転して後側に移動する。
【０１３４】
この動作により、レンズカバー７２は、レンズ３０の中央部に相対するレンズカバー７２の端部７２５を頂点として、投写レンズ３の投写方向（前側）に起立する状態となる。また、第１保持部７１の回転が継続することにより、レンズカバー７２は、起立しながらレンズ３０の中央部から外径方向に回転しながら移動していく。そして、レンズカバー７２は、最終的に、図１２に示すように、レンズ鏡筒としての前側筒３４の側方周囲にそれぞれ移動した状態となる。図１２に示す状態が、開放動作が終了した状態となる。なお、各レンズカバー７２Ａ，７２Ｂ，７２Ｃは、光軸ＯＡを対称軸として、略同様のタイミングで略対称に開く動作（開放動作）を行う。
【０１３５】
なお、レンズカバー７２がレンズ３０を開放した状態から、レンズカバー７２に閉塞動作を行わせる場合には、手動により、大円筒部７１１を逆方向（本実施形態では、左方向）に回転させる。これにより、第１保持部７１は、第２保持部７３に対して回転しながら、光軸ＯＡに沿って、後側から前側に移動を開始する。
【０１３６】
これにより、レンズカバー７２は、レンズカバー支持部材７１５に前側に押されて、前側筒３４の外径端部３４１に当接しながら前側に移動する。そして、レンズカバー７２は、レンズカバー支持部材７１５に前側に継続して押されることにより、開放動作の軌跡を逆にたどる動作を行うことにより、図１１に示すように、レンズ３０を閉塞する状態となる。なお、各レンズカバー７２Ａ，７２Ｂ，７２Ｃは、光軸ＯＡを対称軸として、略同様のタイミングで略対称に閉じる動作（開閉動作）を行う。
【０１３７】
なお、レンズカバー７２は、レンズカバー７２の端部７２５の内面側に、第１実施形態の受部５２６と同様に、それぞれ受部（図示省略）が設置されている。そして、レンズ３０を閉塞する状態となった場合、受部により、第１実施形態と同様に、３つのレンズカバー７２（７２Ａ，７２Ｂ，７２Ｃ）が相互に支持し合う状態となる。これにより、それぞれの受部は、レンズカバー７２（７２Ａ，７２Ｂ，７２Ｃ）のガタツキ、特に光軸ＯＡ方向のガタツキを抑制する。
【０１３８】
上述した第３実施形態によれば、以下の効果が得られる。
本実施形態のレンズカバー装置７によれば、投写レンズ３（レンズ３０）の前面を開放する場合、レンズカバー７２が投写レンズ３の投写方向に起立してレンズ鏡筒（前側筒３４）の側方周囲にそれぞれ移動する。この動作により、レンズカバー７２の開閉動作を省スペースで行うことができると共に、ダイナミックさや高級感等の感性的な面を向上させたレンズカバー７２の開閉動作とすることができる。
【０１３９】
本実施形態のレンズカバー装置７によれば、レンズ鏡筒（前側筒３４）の外径端部３４１に当接することにより、レンズカバー７２を起立する。これにより、レンズカバー装置７は、レンズカバー７２の開閉動作を省スペースで行うことができると共に、ダイナミックさや高級感等の感性的な面を向上させたレンズカバー７２の開閉動作とすることができる。
【０１４０】
本実施形態のレンズカバー装置７によれば、第１保持部７１が第２保持部７３に対して回動することにより、レンズカバー７２は、レンズ鏡筒（前側筒３４）の外径端部３４１を周方向に摺動させながら回転して収納される動作となる。これにより、レンズカバー装置７は、レンズカバー７２の開閉動作を省スペースで行うことができると共に、ダイナミックさや高級感等の感性的な面を向上させたレンズカバー７２の開閉動作とすることができる。
【０１４１】
本実施形態のレンズカバー装置７によれば、第１実施形態と同様に、レンズカバー７２Ａ，７２Ｂ，７２Ｃのそれぞれ隣り合う外形端部の形状は、平面視で、曲線状に構成されている。また、レンズカバー７２Ａ，７２Ｂ，７２Ｃは、レンズ３０の中央部に相対する位置を中心として放射状に分割されている。これらにより、レンズカバー７２の開閉動作に、ダイナミックさや高級感等の感性的な面を向上させることができる。
【０１４２】
本実施形態のレンズカバー装置７によれば、第１実施形態と同様に、レンズカバー７２は３分割されている。従って、閉塞した状態で、レンズカバー７２を互いに支持し合う（固定する）ことにおいて、最も安定させることができ、レンズカバー７２の開閉動作を安定させることができる。
【０１４３】
なお、上述した第１、第２、第３実施形態は、その要旨を逸脱しない範囲において種々の変更や改良等を加えて実施することが可能である。変形例を以下に述べる。
【０１４４】
前記第１実施形態のレンズカバー装置５は、レンズカバー６２が３分割されている。しかし、分割数はこれに限られず、２分割でもよいし、４分割以上でもよい。これは、第２、第３実施形態においても同様である。
【０１４５】
前記第１実施形態のレンズカバー装置５は、ワイヤーを有する駆動部５３で第２支軸５２２を駆動することにより、結果的に、レンズカバー５２に開閉動作を行わせている。しかし、これに限られず、第２実施形態のリンク機構６３と同様のリンク機構を用いることにより、第２支軸５２２を駆動する構成として、レンズカバー５２に開閉動作を行わせてもよい。また、リンク機構に限定されず、その他の駆動系により、レンズカバー５２に開閉動作を行わせてもよい。
【０１４６】
前記第２実施形態のレンズカバー装置６は、リンク機構６３により、結果的に、レンズカバー６２に開閉動作を行わせている。しかし、リンク機構６３以外の駆動系により、レンズカバー６２に開閉動作を行わせることでもよい。
【０１４７】
前記第３実施形態のレンズカバー装置７は、第１保持部７１が第２保持部７３に対して回動することにより、結果的に、レンズカバー７２に開閉動作を行わせている。しかし、第１保持部７１、第２保持部７３による駆動以外の駆動系により、レンズカバー７２に開閉動作を行わせることでもよい。
【０１４８】
前記第２実施形態のレンズカバー装置６は、レンズカバー６２として、第１カバー６２１と第２カバー６２２との２つのカバーで構成されている。しかし、これに限られず、１つのカバーで構成されていてもよい。
【０１４９】
前記第３実施形態のレンズカバー装置７は、第１保持部７１の外周側に第２保持部７３が設置されている。しかし、これに限られず、第１保持部７１の内周側に第２保持部７３が設置され、第１保持部７１の内周面と、第２保持部７３の外周面とに相互に螺合するネジ部を構成してもよい。
【０１５０】
前記第３実施形態のレンズカバー装置７は、第１保持部７１を第２保持部７３に対して回動することにより、レンズカバー７２は、前側筒３４の外径端部３４１に当接し、外径端部３４１の周方向に摺動しながら回転して後側に移動する。しかし、レンズカバー７２は、外径端部３４１の周方向に回転せずに後側に移動させることでもよい。
【０１５１】
前記第１実施形態のレンズカバー装置５において、各レンズカバー５２Ａ，５２Ｂ，５２Ｃは、光軸ＯＡを対称軸として、開閉動作（対称に開く動作および対称に閉じる動作）を行う。しかし、これに限られず、開閉動作は、対称に行わなくてもよい。これは、第２、第３実施形態においても同様である。
【０１５２】
前記第１〜第３実施形態のレンズカバー装置５，６，７は、プロジェクター１の投写レンズ３に対応させて実施している。しかし、これに限られず、プロジェクター以外に、レンズを介して画像を投写する電子機器や、レンズを介して風景等を撮影するカメラ等の電子機器に対応させて実施してもよい。
【０１５３】
前記第１実施形態のレンズカバー装置５は、プロジェクター１の投写レンズ３に対応させて実施している。なお、投写レンズ３は、カム筒３３が光軸ＯＡを中心として回動することにより、ズーム調整を行っている。その場合、カム筒３３自身は、光軸ＯＡ方向に沿って移動は行わない。しかし、投写レンズの構造が異なり、例えば、ズーム調整を行う場合に、レンズ及びレンズ鏡筒が、光軸ＯＡ方向に沿って移動する構造の場合にも、レンズカバー装置５を適用することができる。言い換えると、投写レンズの構造が、レンズカバー５２が開いた後に、ズーム調整用のレンズが前側に飛び出すような構造の場合にも、レンズカバー装置５を適用することができる。これは、第２、第３実施形態においても同様である。
【０１５４】
前記第１〜第３実施形態の光源装置２１は、本実施形態では、超高圧水銀ランプを採用している。しかし、これに限定されず、高輝度発光する種々の放電型のランプを採用することができ、例えば、メタルハライドランプや高圧水銀ランプ等を採用することができる。また、光源装置２１は、ＬＥＤ（Light Emitting Diode）、有機ＥＬ（Electro Luminescence）素子、シリコン発光素子等の各種固体発光素子を採用してもよい。
【０１５５】
前記第１〜第３実施形態の光学ユニット２は、赤色光、緑色光、青色光に対応する３つの光変調装置（液晶パネル２５３）を用いる、いわゆる３板方式を採用している。しかし、これに限られず、単板方式の光変調装置を採用してもよい。また、コントラストを向上させるための光変調装置を追加して採用してもよい。
【０１５６】
前記第１〜第３実施形態の光学ユニット２は、透過型の光変調装置（透過型の液晶パネル２５３）を採用している。しかし、これに限られず、反射型の光変調装置を採用してもよい。
【０１５７】
前記第１〜第３実施形態の光学ユニット２は、光変調装置として液晶パネル２５３を採用している。しかし、これに限られず、一般に、入射光束を画像情報（画像信号）に応じて変調するものであればよく、例えば、マイクロミラー型の光変調装置等、他の方式の光変調装置を採用することができる。なお、マイクロミラー型の光変調装置としては、例えば、ＤＭＤ（Digital Micromirror Device）を採用することができる。
【符号の説明】
【０１５８】
１…プロジェクター、３…投写レンズ、５，６，７…レンズカバー装置、３０…レンズ、３４…前側筒、５２…レンズカバー、６０…カバー筺体、６１…レンズカバー保持部、６２…レンズカバー、６３…リンク機構、７１…第１保持部、７２…レンズカバー、７３…第２保持部、２５３…液晶パネル、３４１…外径端部、５２１…第１支軸、５２２…第２支軸、６１１…レンズカバー支持部材、６２１…第１カバー、６２２…第２カバー、７１５…レンズカバー支持部材、６０１１…孔部、６０１１ａ…側面、６０１１ｂ…側面、６２２１…支軸、ＯＡ…光軸。
【図１】
2013186231.tif 000003
【図２】
2013186231.tif 000004
【図３】
2013186231.tif 000005
【図４】
2013186231.tif 000006
【図５】
2013186231.tif 000007
【図６】
2013186231.tif 000008
【図７】
2013186231.tif 000009
【図８】
2013186231.tif 000010
【図９】
2013186231.tif 000011
【図１０】
2013186231.tif 000012
【図１１】
2013186231.tif 000013
【図１２】
2013186231.tif 000014